(57)【要約】【課題】本発明は、自動車の車外、車内から花粉を除去するための自動車の洗車方法に関する発明である。【解決手段】そこで、本発明である花粉を除去する洗車方法は、上記の課題を解決するために、界面活性剤を含んだ液体ワックス等で洗車する洗車機による洗車工程、前記洗車工程を終えた後、車内の花粉をエアーで吹き、吹いた花粉等をバキュームエアーブロー装置で吸引するエアーブロー及びバキューム清掃工程、前記エアーブロー及びバキューム清掃工程を終えた後、車内ダッシュボード奥にある花粉が付着したエアコンフィルターをエアースプレーガンで吹きつけ清掃するエアコンフィルターの清掃工程、前記エアコンフィルターの清掃工程を終えた後、エアコンフィルターの着脱場所奥にあるエアコンダクト内等に、高温高圧の水蒸気を吹き付ける車内スチーム清掃工程、車内スチーム清掃工程を終えた後、車内全体に消臭剤入りスプレーを吹き付ける車内消臭剤吹きつけ工程とからなることを特徴とする花粉を除去する洗車方法の構成とした。【選択図】  図１
2004322969.tif 000002
【特許請求の範囲】
【請求項１】
界面活性剤を含んだ液体ワックス等で洗車する洗車機による洗車工程、前記洗車工程を終えてから車内の花粉をエアーで吹き、吹いた花粉等をバキュームエアーブロー装置で吸引するエアーブロー及びバキューム清掃工程、前記エアーブロー及びバキューム清掃工程を終えた後、車内ダッシュボード奥にある花粉が付着したエアコンフィルターをエアースプレーガンで吹きつけ清掃するエアコンフィルターの清掃工程、前記エアコンフィルターの清掃工程を終えた後、エアコンフィルターの着脱場所奥にあるエアコンダクト内等に、高温高圧の水蒸気を吹き付ける車内スチーム清掃工程、車内スチーム清掃工程を終えた後に仕上げである車内全体に消臭剤入りスプレーを吹き付ける車内消臭剤吹きつけ工程とからなることを特徴とする花粉を除去する洗車方法
【発明の詳細な説明】
【０００１】
【発明が属する技術分野】
本発明は、自動車の車外、車内から花粉を除去するための自動車の洗車方法に関する発明である。
【０００２】
【従来の技術】
従来の自動車洗車方法は、汚れや埃等を除去する目的で行う自動車のボディ等の表面を洗車する車外洗車方法と、自動車の室内を掃除機でゴミを吸引する車内清掃方法があった。車外洗車方法の具体例は、洗車機及び洗車機用洗剤を使用した洗車方法がある。また、洗車機以外による車外洗車方法として、スポンジ等を使用して手作業で自動車のボディを洗車する手洗い洗車方法もある。一方、車内清掃方法は、家庭用の掃除機より吸引力を上げたバキューム等を使用して、バキュームに備えられたノズルの先端で、自動車の室内、例えば座席シート下の細かいゴミを吸引し、車内清掃をする方法である。
【０００３】
また、自動車内の花粉を取り除く装置として公開特許公報特開平１０−２１７７６２号の公開公報に記載されている「自動車用エアコン吹き出し口用花粉フィルター」のように自動車のエアコン吹き出し口に取り付け、花粉を除去した後に汚れたら交換するエアコン吹き出し口用花粉フィルターしかなかった。
【０００４】
【発明が解決しようとする課題】
しかしながら、従来の洗車方法は、自動車の車外洗車方法、車内清掃方法のいずれの方法を行う場合でも、自動車のボディ表面や、座席シート、背もたれ、背も立ての上部に設けたヘッド部分の（以下、座席シートという。）表面に付着した花粉を作業時間を短縮して効率よく取り除くことが出来なかった。
【０００５】
また自動車の車内のエアコンに備えた外気循環は、外部から新鮮な空気を取り込む際、エアコンダクト内に新鮮な空気と共に大量の花粉が入り込んでしまい、埃と共に花粉も毎年蓄積され、花粉症を患った人は車内でも常にフィルター付きのマスクを装着しなければならないため、車内環境も良くない。
【０００６】
更に、先行文献に記載された「自動車用エアコン吹き出し口用花粉フィルター」を交換する際、フィルター部品の販売先を探す手間や、フィルター部品の交換に時間がかかり、利用しづらいという欠点もある。
【０００７】
そこで、本発明は、自動車の洗車方法において、花粉症を患った人に対し、花粉症の諸症状を防ぐ或いは緩和し、車外である自動車のボディ表面や、車内である座席シート等の表面に付着した花粉の除去に作業時間がかからず、車内環境を花粉で悪化させることのない、フィルター部品の交換に時間がかからない花粉を除去できる花粉を除去する洗車方法を提供することを目的とする。
【０００８】
【課題を解決するための手段】
そこで、本発明である花粉を除去する洗車方法は、上記の課題を解決するために、界面活性剤を含んだ液体ワックス等で洗車する洗車機による洗車工程、前記洗車工程を終えた後、車内の花粉をエアーで吹き、吹いた花粉等をバキュームエアーブロー装置で吸引するエアーブロー及びバキューム清掃工程、前記エアーブロー及びバキューム清掃工程を終えた後、車内ダッシュボード奥にある花粉が付着したエアコンフィルターをエアースプレーガンで吹きつけ清掃するエアコンフィルターの清掃工程、前記エアコンフィルターの清掃工程を終えた後、エアコンフィルターの着脱場所奥にあるエアコンダクト内等に、高温高圧の水蒸気を吹き付ける車内スチーム清掃工程、車内スチーム清掃工程を終えた後、車内全体に消臭剤入りスプレーを吹き付ける車内消臭剤吹きつけ工程とからなることを特徴とする花粉を除去する洗車方法の構成とした。
【０００９】
【実施例】
以下に添付図面に基づき、本発明である花粉を除去する洗車方法の詳細について詳細に説明する。図１は、本発明である花粉を除去する洗車方法の全体の流れを示したフローチャートである。図１に示したように、本発明である花粉を除去する洗車方法１は、１３工程からなり、所要時間が３０分から４０分の間で行うことができる洗車方法である。以下順に詳細を説明する。
【００１０】
車外洗車工程Ｓ１は、要部洗車工程Ｓ２、前記要部洗車工程Ｓ２が終了した後に洗車機による洗車工程Ｓ３とからなる。
【００１１】
要部洗車工程Ｓ２は、７０ｋｇｆ／ｃｍ２から１２０ｋｇｆ／ｃｍ２の高圧で温水を噴射する高圧洗浄機を用いた洗車工程である。自動車のボディ表面に付着した花粉を始め、特に花粉が付着しやすい足下即ち、ボディ下部分、タイヤやホイール、ドア下部にあるステップ等（以下、下回りという）を中心に行う。なお、ブラシやスポンジ等を使用した手作業での洗車と異なり、本発明で使用する高圧洗浄機は自動車のボディ表面を痛めることはない。
【００１２】
要部洗車行程Ｓ２を行う順番は、自動車全体に付着した花粉を除去するために（１）車のボディ全体（２）ドア等の下回り（３）タイヤ（ホイール含む）の順に上方向から下方向に向かって行う。要部洗車工程Ｓ２でボディ全体の洗車を終了した後は、洗車機による洗車工程Ｓ３に進む。
【００１３】
洗車機による洗車工程Ｓ３は、水と洗剤からなる液体を霧状にして洗車する第１工程と、非イオン系界面活性剤・変形シリコン化合物等からなる液体ワックスを霧状にして自動車のボディ表面に吹きつけ、ボンネットからルーフ、そしてトランクルームの上部から左右側面までコーティング洗車する第２工程、ボディに残った水滴等を洗車機に備えられた移動式の送風機で乾かす第３工程、ボディ全体を送風機をかけた後に残った水滴を、作業員が乾きタオルで隅々まで丁寧に拭きあげる第４工程とからなる。
【００１４】
即ち、前記４工程まで一貫して行うことで、花粉が付着しない自動車のボディ全体の撥水性及びコーティング性を向上させた洗車を提供することができる。コーティング性を向上させることで、走行時に自動車のボディの表面に付着した花粉を簡単に取り除くこともできる。
【００１５】
また、第１工程から第３工程まで洗車機を使用する。洗車機に使用するブラシは、自動車のボディに傷を付けないように布ブラシを使用する。そして、洗車機で使用する液体ワックスは、非イオン系界面活性剤・変形シリコン化合物等を６０ｃｃ使用するのが好ましい。なお、前記液体ワックスと同じ効果を得ることができる液体ワックスであれば市販品の液体ワックスを同量使用してもよい。
【００１６】
第１工程から第３工程に使用する洗車機は、上下左右に移動できる布ブラシと前記布ブラシの動きを制御する制御装置とからなる。そして、布ブラシに隣接したノズルから水と洗車機用洗剤等を自動車のボディ表面に向かって噴射する。回転式の布ブラシが回転しながらボディ等の左右両側面やルーフを挟み込みながらボディ全体、タイヤ、ホイールまでを洗浄する。そして、仕上げに、自動車のボディ全体に風を当てボディの表面を乾かす仕組みである。なお、自動車の花粉の付着状況によっては第２工程である液体ワックスのコーティング洗車を省略することもできる。
【００１７】
第４工程である拭きあげは、ボディ全体を構成する車体の屋根であるルーフ、フロントガラス、サイドミラー、ボディ、下回りを乾いたタオルで拭くことである。拭きあげる順番は、助手席から運転席まで反時計周りに行う。
【００１８】
特に運転席や助手席の場合、ドアを開けた柱部分や、後部座席の場合、ドアをあけた際にタイヤガードの上部、即ち湾曲したドアのへりに付着した水滴や花粉までを丁寧にふき取る。
【００１９】
なお、タイヤの拭きあげは、先ず環状のタイヤゴム部分を行い、次にタイヤゴムの中心にあるホイール部分の順に拭く。そして、タイヤの拭きあげを行った後に、市販品であるタイヤ用の液体ワックスを塗る。タイヤ用の液体ワックスを塗る方法はブラシの先端にタイヤ用の液体ワックスを浸し、そしてタイヤサイズ等が明記された外周方向に沿って塗ることで終了する。
【００２０】
車内清掃工程Ｓ４は、自動車の車内の内窓をタオルで拭く内窓清掃工程Ｓ５とフロアーマット清掃工程Ｓ６、エアーブロー及びバキューム清掃工程Ｓ７、エアコンダクト内の清掃工程Ｓ８、エアコンフィルターの清掃工程Ｓ９、車内スチーム清掃工程Ｓ１０、車内マット戻し工程Ｓ１１、車内消臭剤吹きつけ工程Ｓ１２及びＡ／Ｃ（エアコン）の内気循環切り替え工程Ｓ１３とからなる。以下に内窓清掃工程Ｓ５から順に詳細を説明する。
【００２１】
内窓清掃工程Ｓ５は、色分けした濡れタオルと乾きタオルを交互に使用し、自動車の内窓に付着した花粉をふき取る清掃工程である。タオルを色分けすることで、花粉が付着しやすい濡れタオルと、乾きタオルを明確に区別する。本工程では、最初に濡れタオルにピンクのタオルを使用し、次に乾きタオルに白のタオルを使用した。
【００２２】
具体的には、最初に濡れタオルを使用し、ダッシュボードの表面、各座席の窓、各座席のドアの内側、ドアの内側の下部に設けられたサイドポケット、座席シート、運転席の場合助手席との間に備えられたコンソールボックス、シフトレバーの隙間、リヤガラスウインドウ、フロントガラスまで車内全体の隅々まで拭きあげる。以下の詳細な説明で使用する前記座席シートは、背もたれ、背もたれの上部に設けたヘッド部分から、座席シートの付属品であるシートベルトまでを含むものとする。
【００２３】
拭く順番は、助手席を中心とした反時計回りで、助手席窓を始め、左後部座席、リアウインド、右後座席窓、運転席窓、フロントガラス、メーター周り、バックミラーまで行う。なお、拭く順番は、反時計回り限定するものではなく、時計回りに作業を始めてもよい。
【００２４】
濡れタオルと乾きタオルの交互に使用する方法は、助手席の内窓を例とした場合で説明する。内窓は略台形状の形状をしており、内窓の外周に沿って濡れタオルで拭き、次に乾きタオルで外周に囲まれた内側の部分を縦方向にＺ文字を描くように繰り返しから拭きを行う。そうすることで窓に付着した花粉を漏れなく、全てを取り除くことができる。
【００２５】
なお、使用済みの濡れタオルは作業者が必ず腕にタオルをかけたまま、乾きタオルを使用して拭き作業を行う。花粉がついた濡れタオルを再度清掃し終えた箇所に付着することを防止することと、濡れタオルを所定の場所に取りに行く等の作業時間を短縮するためである。
【００２６】
次に助手席の座席シート拭きの方法を説明する。助手席等の座席シートは、座席シート表面に長方形状若しくは足下方向に垂直に伸びた縫い目がある。まずは長方形状の縫い目に沿って、長方形を描くように濡れタオルで拭く。そして長方形で囲んだ内側部分は、内窓の清掃方法と同じく、Ｚを描くようにから拭きをし、座席シートに付着した花粉を全て取り除く。
【００２７】
そして、内窓清掃工程Ｓ５が終了した後に、フロアーマット清掃工程Ｓ６を行うために、車内各座席シートの足下に備えられたフロアーマットを車外に出す。車外に出したフロアマットは、フロアーマットの表面に付着した花粉が飛び散らないように丸めて車外に出す。
【００２８】
フロアーマット清掃工程Ｓ６は、市販されたマット清掃機を使用し、フロアーマットの表面及びマットの奥にある花粉や汚れをマット清掃機内で水洗いによって洗浄する工程である。
【００２９】
マット清掃機は、内部に回転式のブラシが２つ備えられており、マットの裏面を入口に挟み込み、レバーを手前に倒すことでマットの表面に水を流し、回転式のブラシで挟み込みながら洗い、汚れが取り除かれたマットが入口の反対側にある出口から出てくる仕組みである。汚れを取り除いたマットはやや湿った状態である。なお、汚水は、マット清掃機から地面に対し設けた排水パイプから排水する仕組みである。
【００３０】
エアーブロー及びバキューム清掃工程Ｓ７は、バキュームエアーブロー（２００Ｖ）装置を使用して、車内の天井や座席シートに付着した花粉や埃を強力なエアーで吹くと共に、エアーで吹いた花粉等を吸引する工程である。本工程により、車内にある花粉をより吸引しやすくするという効果がある。
【００３１】
バキュームエアーブロー装置の構成は、装置本体と本体から伸びた伸縮自在のパイプと、パイプの先端に設けられエアーを出したり吸引できる手元切り替えレバーとノズルとからなる。エアーの吹き出しや吸引の切り替えは、ノズルに備えられた前記手元切り替えレバーで切り替えることができる。
【００３２】
バキュームエアーブロー装置で清掃を行う場所は、助手席、左後座席、リア窓下、右後座席、運転席のように、助手席を中心に反時計回りで行う。なお、エアーブローを行う際の注意事項として、各座席の天井、フロア、座席シート、座席シート下を吹いた後に、バキュームエアーブロー装置で各座席の天井、フロア、座席シート、座席シート下を吸引する。また座席シートの吸引を行う場合は、座席の縫い目に沿って吸引を行い、各ドアのサイドポケットの内部まで行う。
【００３３】
エアコンダクト内の清掃工程Ｓ８は、車内の運転席、助手席、センターパネルに備えられたエアコンの吹き出し口の内部に備えられたエアコンダクト内部を清掃する工程である。
【００３４】
エアコンダクト内の清掃工程Ｓ８で使用する装置は、花粉等を強力な風で吹き飛ばすホースでコンプレッサーにホースで接続したエアースプレーガンと、    高温、高圧の１２０°の水蒸気を発生させ、当該部分に吹き付けることで、花粉や埃を浮かせて、除去すると共に脱臭効果、除菌効果を得ることができるスチームマルチ（商標）を使用する。
【００３５】
エアコンフィルターの清掃工程Ｓ９は、助手席側のダッシュボードを開け、ダッシュボードの奥にカートリッジ式に備えられたエアコンフィルターを外し、車外でエアースプレーガンを使用し、フィルターを清掃する工程である。エアコンフィルターの着脱にかかる所用時間は１〜５秒以内である。なお、エアコンフィルターは、着脱容易に装着されている自動車と、固定式のタイプとがある。本工程では、手で簡単にフィルターを着脱できるエアコンフィルター装着車を対象とする。ただし、利用者の要望によっては、フィルターを装着したまま次工程である車内スチーム清掃工程Ｓ１０に着手できる。
【００３６】
エアコンフィルターの形状は、長方形状、正方形状のタイプからなり、エアコンフィルターの色は、新品時に白色のものと、グレーの２タイプがある。グレータイプのエアコンフィルターは予め活性炭入りであり、本発明を構成するエアコンフィルターの清掃工程では、エアコンフィルターの形状又は色を問わないものとする。また、フィルターの汚れがひどい場合、オプション（別料金）で、新品のフィルターと交換することができる。
【００３７】
ダッシュボード奥から取り外したエアコンフィルターは車外に持ち出し、コンプレッサーでフィルターの表面、裏面の順にエアースプレーガンでＺを描くように吹く。そうすることでエアコンフィルターの表面やフィルター内部に付着した花粉等を吹き払うことができる。なお、固定式のエアコンフィルターの場合は車内スチーム清掃行程Ｓ１０に進むことができる。
【００３８】
即ち、従来エアコンフィルターは車検や点検時でなければ交換又は清掃を行わなかったが、本工程を施すことにより、エアコンフィルタを常に清潔に保つと共に、花粉がフィルターに蓄積することを防止することができる。次に車内スチーム清掃工程Ｓ１０の詳細を説明する。
【００３９】
車内スチーム清掃工程Ｓ１０は、高温高圧の水蒸気を煙状にして噴射するスチームマルチ（商標）を使用する。スチームマルチ（商標）は、１秒間から３秒間の間、車内の各箇所に１２０℃の高温、高圧の水蒸気を噴射することで瞬時に花粉を除去し、抗菌効果と消臭効果を同時に得られる装置である。なお、水蒸気の温度は１１０℃から１３０℃の間が最も好ましい。１１０℃以下では殺菌効果が得られず、１３０℃以上になるとエアコンの吹き出し口が熱で変形するので温度管理は注意する。
【００４０】
スチームマルチの構造は、スチームである水蒸気を発生させる本体と、本体の正面に設けたホースと、ホースの先端に取り付け水蒸気を噴射する噴射ノズルとからなる。また本体の上部には、吸引機であるバキューム掃除機が設けられている。スチームマルチは、製造元（株）デナロ、販売元（株）タツノ・メカトロニクスのＺＳ−３型を使用する。
【００４１】
また、スチームマルチの先端に取り付けられた噴射ノズルは、先端部分が隙間等に密着できるように略へ字状の形状になっており、握り部分である手元で水蒸気の噴射量を調節するための切り替えスイッチを備えている。切り替えスイッチは水蒸気の噴射量を調節する強、弱の各スイッチが設けられており本工程では、強、弱スイッチを同時に押すことで最も強い水蒸気の噴射を行うことができる。
【００４２】
スチームマルチを使用することで、車内全体の花粉を取り除くとともに、併せて、座席シートに付着したのみ、ダニなどのアレルギーの原因を退治する抗菌効果と、カビ、煙草による臭いを消臭する消臭効果を得ることができる。また座席シートへこぼしたジュース等の簡単なシミや汚れ、天井のヤニ等を落とすことができる。
【００４３】
車内スチーム清掃工程Ｓ１０を行う場所は、ダッシュボード奥にあるエアコンのダクト部分を中心に水蒸気の吹きつけを行う。そして、助手席側のエアコン吹き出し口に水蒸気を吹き付け、左後座席シート各座席の天井→座席→足下の順番に行う。なお、足下のマットは水蒸気の吹きつけ、除菌を行った後に車外に出す。
【００４４】
特に、エアコンの吹き出し口は車内の助手席、センターパネル、運転席に設けられているがスチームマルチのノズルを座席シート側から吹き出し口にかけて差し込み、フロントガラスの方向に向かって水蒸気を吹きつけるとよい。
【００４５】
車内スチーム清掃工程Ｓ１０を行う際、各座席のドアを順次開けて作業を行うが、水蒸気を吹きつけた後は必ず各座席シートのドアを閉める。これは新たに花粉が車内に入りこむことを防ぐためである。
【００４６】
また、座席の汚れが特にひどい場合、具体的にはコーヒー等のこぼしがあった場合には、スチームマルチの水蒸気を当該汚れ部分に当て、汚れを浮かしてから、スチームマルチの本体の上部に付属した吸引機であるバキューム掃除機のホースの先端に設けた略Ｔ字状のノズルで吸引し、花粉以外の汚れを綺麗に取り除くことができる。
【００４７】
車内スチーム清掃工程Ｓ１０が終了した後は、車外に出した車内マット戻し工程Ｓ１１となる。即ち、フロアーマット清掃工程Ｓ６後に行うエアコンダクト内の清掃工程Ｓ８において、清掃済みのフロアーマットに、エアコンダクト内の花粉等が再度付着することを防止するためである。そして、車内消臭剤吹きつけ工程Ｓ１２の工程作業に取りかかる。
【００４８】
車内消臭剤吹きつけ工程Ｓ１２は、液体式の消臭剤をスプレーに入れて、車内の天井からドアの側面、座席シート、座席シート下、マット等にくまなく吹き付け、吹き付けた消臭剤を新たな乾きタオルでかるく叩きながら拭きあげる仕上げの工程である。
【００４９】
本工程で使用する消臭剤は、市販品である液体スプレー式のハブリーズ（商標）を使用する。消臭剤の使用量は、各座席シート毎に１〜２ｃｃ使用する。よって本発明では花粉から発生する微量な臭いをも車内から完全に取り除くことができると共に、車内の脱臭及び消臭効果を得ることができる。
【００５０】
車内消臭剤吹きつけ工程Ｓ１２が終了した後は、乗車して車内エアコンの切り替えを行う。なお、乗車する際、衣服等の上着を軽くたたくことで、花粉を払い、車の清掃中に衣服に付着した花粉等を車内に取り込まないよう注意する。
【００５１】
エアコン（Ａ／Ｃ）の内気循環切り替え工程Ｓ１３は、車外から空気を取り込まないように車内エアコンに備えられたＡ／Ｃ（Ａｉｒ  Ｃｏｎｄｉｔｉｏｎｅｒ：エアコン）のスイッチを入れ、次に自動車の絵と前記自動車の車内を空気が循環するように略コ字状の矢印で示した内気循環のスイッチに切り替える工程である。
【００５２】
車内エアコンを内気循環に切り替えるには、各スイッチボタンを備えた電動切り替え式のエアコンと左右に切り替えできる切替レバーを備えた手動切り替え式のエアコンがある。
【００５３】
電動切り替え式エアコンの場合、自動車のエンジンをかけ、エンジンをかけた後にエアコンに備えられたＡ／Ｃのスイッチを入れる。そして、内気循環に切り替えることで、車内に花粉が入ることを防ぐ。
【００５４】
なお、自動車の絵と前記自動車の外部から空気を取り込むように略へ字状の矢印で示した外気循環のスイッチに切り替わっていた場合、手動で外気循環スイッチから内気循環スイッチに切り替える。
【００５５】
手動切り替え式エアコンの場合、自動車のエンジンをかける前に、レバーを内気循環の絵等で示した方向にあらかじめ切り替えてから、Ａ／Ｃのスイッチを入れればよい。
【００５６】
【発明の効果】
本発明は、以上に説明したような構成であるから以下の効果が得られる。
第１に本発明である花粉を除去する洗車方法は、車外洗車方法、車内清掃方法を順次行うことで、自動車のボディ表面や車内の座席シート表面に付着した花粉等を効率よく３０分から４０分で取り除くことができる。よって花粉症を患った人でも花粉症の諸症状を防ぐ或いは緩和できる車内環境を提供することができる。
【００５７】
第２に本発明である花粉を除去する洗車方法は、自動車の車内にあるエアコンに連設したエアコンダクト内に蓄積された花粉が取り除くことができるため、花粉症を患った人は車内で常にフィルター付きのマスクを装着しなくてもよく、環境衛生面を鑑みて極めてよい車内環境を提供することができる。
【００５８】
第３に本発明である花粉を除去する洗車方法は、車内のエアコンを内気循環にしたままであれば、ドアの開閉を行っても約１ヶ月間の車内における花粉の付着を防止することができる。
【００５９】
第４に本発明である花粉を除去する洗車方法は、「自動車用エアコン吹き出し口用花粉フィルター」のように、花粉を除去するための専用フィルター部品の販売先を探す手間やエアコンフィルター部品の交換に時間がかからず、利用者はガソリンスタンド等で手軽に利用することができる。
【図面の簡単な説明】
【図１】本発明である花粉を除去する洗車方法の全体の流れを示したフローチャートである。
【符号の説明】
１      花粉を除去する洗車方法
Ｓ１    車外洗車工程
Ｓ２    要部洗車工程
Ｓ３    洗車機による洗車工程
Ｓ４    車内清掃工程
Ｓ５    内窓清掃工程
Ｓ６    フロアーマット清掃工程
Ｓ７    エアーブロー及びバキューム清掃工程
Ｓ８    エアコンダクト内の清掃工程
Ｓ９    エアコンフィルターの清掃工程
Ｓ１０  車内スチーム清掃工程
Ｓ１１  車内マット戻し工程
Ｓ１２  車内消臭剤吹きつけ工程
Ｓ１３  エアコン（Ａ／Ｃ）の内気循環切り替え工程
【図１】
2004322969.tif 000003